(57)【要約】【課題】装置の設置作業や変更及び追加作業の簡素化を図り、装置の信頼性の向上及び設置コストの低減化を図る。【解決手段】本発明は、監視区域において監視対象の画像を撮像する撮像手段１１と、該撮像手段１１により撮像した監視対象の画像を記録する録画手段１２とが一体に設けられた防犯監視装置１０であって、撮像手段１１を内部に収容する筐体１３を備えており、該筐体１３には、撮像手段１１が設けられていると共に筐体１３を設置対象物３２に固定するための固定手段１４が設けられていることを特徴とする。【選択図】図１
2009003837.tif 000002
【特許請求の範囲】
【請求項１】
監視区域において監視対象の画像を撮像する撮像手段と、該撮像手段により撮像した監視対象の画像を記録する録画手段とが一体に設けられた防犯監視装置であって、
前記撮像手段を内部に収容する筐体を備えており、該筐体には、前記撮像手段が設けられていると共に前記筐体を設置対象物に固定するための固定手段が設けられていることを特徴とする防犯監視装置。
【請求項２】
前記撮像手段は前記筐体の下面外側に複数台取り付けられており、前記各撮像手段と前記録画手段とを接続するケーブルは前記筐体の内部に配設されている請求項１に記載の防犯監視装置。
【請求項３】
前記撮像手段及び前記録画手段の電源ケーブルは、前記筐体の内部から下面を貫通し、外部電源に接続されている請求項２に記載の防犯監視装置。
【請求項４】
前記筐体には、前面側を開閉するための扉体と、前記筐体の内部を換気するための換気設備とが設けられている請求項１〜３のいずれか１の請求項に記載の防犯監視装置。
【発明の詳細な説明】
【技術分野】
【０００１】
本発明は、防犯のため監視区域において不審者等の監視対象を監視するための防犯監視装置に関する。
【背景技術】
【０００２】
近年における犯罪の増加により、マンション、店舗、公共施設等の屋内だけでなく、建物周辺、街頭等の屋外においても、不審者等の監視対象の監視が必要な区域が拡大してきており、それに伴って、防犯監視装置の需要が増大している。
【０００３】
従来の防犯監視装置は、監視区域において監視対象の画像を撮像する監視カメラと、該監視カメラにより撮像した監視対象の画像を記録するビデオデッキと、ビデオデッキに記録された画像を映写するテレビ受像機とを備えて構成されている。そして、この監視カメラは前記監視区域に設置され、ビデオデッキ及びテレビ受像機は監視カメラから離間した監視室等の屋内に設置され、監視カメラとビデオデッキ及びテレ部受像機とはケーブル配線により接続されている（例えば、特許文献１参照）。
【特許文献１】特開平９−２２４２３８号公報
【発明の開示】
【発明が解決しようとする課題】
【０００４】
しかしながら、上記した従来の防犯監視装置では、監視カメラとビデオデッキ及びテレビ受像機とが離間した位置に設置されており、互いにケーブル配線により接続されている。そのため、ケーブルの配線長が長くなり、その配線作業等に手間が掛かると共に、監視カメラの追加や設置位置の変更作業を容易に行うことができないといった問題があった。
【０００５】
また、ケーブルの配線長が長くなると、断線や接続不良等、不具合の発生頻度も高くなり、装置の信頼性を高めることが難しくなると共に、設置コストの低減化が図り難いといった問題もあった。
【０００６】
本発明は、上記した課題を解決すべくなされたものであり、装置の設置作業や変更及び追加作業の簡素化を図ることができ、装置の信頼性の向上及び設置コストの低減化が可能な防犯監視装置を提供することを目的とするものである。
【課題を解決するための手段】
【０００７】
上記した目的を達成するため、本発明は、監視区域において監視対象の画像を撮像する撮像手段と、該撮像手段により撮像した監視対象の画像を記録する録画手段とが一体に設けられた防犯監視装置であって、前記撮像手段を内部に収容する筐体を備えており、該筐体には、前記撮像手段が設けられていると共に前記筐体を設置対象物に固定するための固定手段が設けられていることを特徴とする。
【０００８】
そして、前記撮像手段は前記筐体の下面外側に複数台取り付けられており、前記各撮像手段と前記録画手段とを接続するケーブルは前記筐体の内部に配設されていてもよい。
【０００９】
また、前記撮像手段及び前記録画手段の電源ケーブルは、前記筐体の内部から下面を貫通し、外部電源に接続されていてもよい。
【００１０】
さらに、前記筐体には、前面側を開閉するための扉体と、前記筐体の内部を換気するための換気設備とが設けられていてもよい。
【発明の効果】
【００１１】
本発明によれば、撮像手段と録画手段とが筐体により一体に設けられ、ユニット化されているため、防犯監視装置を簡単に設置することができる。したがって、ケーブルの配線作業等が大幅に削減され、撮像手段の追加や設置位置の変更作業も容易に行うことができる。
【００１２】
また、ケーブルの断線や接続不良等、不具合の発生を防止することができ、防犯監視装置の信頼性の向上を図ると共に、設置コストの低減化を図ることができる。
【発明を実施するための最良の形態】
【００１３】
以下、図面を参照しつつ、本発明の実施の形態について説明する。ここで、図１は本発明の実施の形態に係る防犯監視装置を扉体を省略して示す正面図、図２は同防犯監視装置を示す正面図、図３は同防犯監視装置を示す側面図、図４は同防犯監視装置を示す下面図である。
【００１４】
本実施の形態に係る防犯監視装置１０は、監視区域において監視対象の画像を撮像する撮像手段としての複数台（図示では２台）の監視カメラ１１と、これらの監視カメラ１１により撮像した監視対象の画像を記録する録画手段としてのビデオデッキ１２と、該ビデオデッキ１２を内部に収容する筐体１３と、該筐体１３を設置対象物に固定するための固定手段としての固定金具１４とが一体に設けられて構成されている。
【００１５】
監視カメラ１１は、例えば、ＣＣＤカメラであり、センサー付きであってもセンサーなしであってもよく、筐体１３の下面１５に支持金具１６を介して回転自在に取り付けられている。そして、各監視カメラ１１とビデオデッキ１２とは筐体１３の内部に配設されるケーブル１７を介して接続されており、各監視カメラ１１の電源はビデオデッキ１２を介して供給される。なお、監視カメラ１１の取付位置は、上記した位置に限定されるものではなく、例えば、監視カメラ１１を筐体１３の内部に取り付け、筐体１３の下面１５に開口した孔を通して監視区域を撮像するように構成する等、各種変更が可能である。また、監視カメラ１１の設置台数は、上記した２台に限定されるものではなく、１台或いは３台以上であってもよい。
【００１６】
ビデオデッキ１２は、一般に市販されているものでよいが、監視カメラ１１で１日２４時間撮影した画像を２週間から１ヶ月程度、記憶可能な容量を備えているのが好ましい。また、ビデオデッキ１２の電源ケーブル１８は、筐体１３の内部に設置されたブレーカー１９を経由して筐体１３の下面１５を貫通し、図示しない外部電源に接続されるようになっている。
【００１７】
筐体１３は、耐候性や断熱性のある材質（例えば、合成樹脂等）から形成され、前面が開放された筐体本体２０と、該筐体本体２０の前面側を開閉するための扉体２１とを備え、筐体本体２０の左右側面２２には、それぞれ筐体１３の内部を換気するための換気設備２３が設けられている。
【００１８】
換気設備２３は、排気ファン２４と給気口２５とがそれぞれ左右側面２２に貫設されて構成されており、給気口２５にはフィルター２６とフード２７が設けられている。これにより、真夏であっても筐体１３の内部は適温に維持されるため、筐体１３の内部に収容されているビデオデッキ１２等が高温により故障するおそれはない。なお、排気ファン２４や給気口２５の取り付け位置は、上記した位置に限定されるものではなく、例えば、筐体の１３の下面１５に取り付ける等、筐体１３内部の空気の流通を考慮して各種変更が可能である。
【００１９】
扉体２１は、筐体本体２０の左右側面のいずれか一方の側面の前端部を支点に前後に回転可能に設けられている。また、扉体２１には、筐体本体２０の前端部と接触する部分にゴム製のパッキン（図示省略）が取り付けられており、これにより、筐体本体２０の前面を気密に閉塞可能となっている。さらに、扉体２１は施錠可能に設けられており、これにより、筐体本体２０の前面を閉塞した状態が確実に保持されるようになっている。したがって、例え、激しい風雨が生じたとしても、筐体１３の内部に雨が浸入するのを防止することができると共に、第三者が無断で扉体２１を開放するのを防止することができる。
【００２０】
筐体１３の上面には前方に向かって下傾するように庇部２８が設けられており、この庇部２８は耐候性や断熱性のある材質（例えば、合成樹脂等）から形成されている。また、この庇部２８の前端部及び左右側端部は平面視で筐体１３より外側に突出するように形成されており、これにより、筐体２１の内部への雨水の浸入をより確実に防止することができる。
【００２１】
固定金具１４は、筐体本体２０の後面２９の上下にそれぞれ固定される受け金具３０と、受け金具３０に貫通して設けられるバンド金具３１とにより構成されている。図４に良く示されているように、受け金具３０は、電柱等の設置対象物３２の形状に合致するように、その中央部分３３が円弧状に折曲されており、この受け金具３０に設置対象物３２を当接させた状態でバンド金具３１を設置対象物３２に周設し、バンド金具３１を締め付けることにより、筐体１３が設置対象物３２にしっかりと固定されるようになっている。なお、固定金具１４の形状は、上記した形状に限定されるものではなく、設置対象物３２の形状に合わせて変更されることは言う迄もない。
【００２２】
このような構成を備えた防犯監視装置１０において、監視カメラ１１が監視区域において監視対象の画像をビデオデッキ１２の記憶容量を超えて撮像した場合、撮像した画像は順次、上書きされる。そして、犯罪が発生した場合等には、扉体２１を開放し、ＣＤやＵＳＢ等の記憶媒体を利用してビデオデッキ１２から撮像した画像を取り出した後、テレビ受像機の設置場所で監視カメラ１１により撮像した画像を再生する。
【００２３】
このように上記した実施の形態に係る防犯監視装置１０によれば、監視カメラ１１とビデオデッキ１２とが筐体１３により一体に設けられており、ユニット化されているため、固定金具１４を介して筐体１３を設置対象物３２に固定し、電源ケーブル１８を外部電源に接続するだけで、防犯監視装置１０を簡単に設置することができる。したがって、ケーブル１７の配線作業等が大幅に削減され、監視カメラ１１の追加や設置位置の変更作業も容易に行うことができる。また、ケーブル１７の断線や接続不良等、不具合の発生を防止することができ、防犯監視装置１０の信頼性の向上を図ると共に、設置コストの低減化を図ることができる。
【図面の簡単な説明】
【００２４】
【図１】本発明の実施の形態に係る防犯監視装置を扉体を省略して示す正面図である。
【図２】本発明の実施の形態に係る防犯監視装置を示す正面図である。
【図３】本発明の実施の形態に係る防犯監視装置を示す側面図である。
【図４】本発明の実施の形態に係る防犯監視装置を示す下面図である。
【符号の説明】
【００２５】
１０          防犯監視装置
１１          監視カメラ（撮像手段）
１２          ビデオデッキ（録画手段）
１３          筐体
１４          固定金具（固定手段）
１５          下面
１７          ケーブル
２１          扉体
２３          換気設備
３２          設置対象物
【図１】
2009003837.tif 000003
【図２】
2009003837.tif 000004
【図３】
2009003837.tif 000005
【図４】
2009003837.tif 000006